(57)【要約】      （修正有）【課題】回転子の作動時の騒音を大幅に低減する騒音防止効果を有する熱放散用ファンを提供する。【解決手段】内部に固定子と回転子１０が設けられるフレームを有する騒音防止効果を有する熱放散用ファンであって、該回転子は、下方に開口が形成される中空の中心部１１を有し、中心部の内部に磁石と芯軸１１１が設けられると共に、外側の周縁に複数の放射状の羽根１２が設けられ、中心部と近く各羽根の縁部に凹溝１３が形成されることを特徴とする。【選択図】図１
0003109841.tif 000002
【実用新案登録請求の範囲】
【請求項１】
内部に固定子と回転子が設けられるフレームを有する騒音防止効果を有する熱放散用ファンであって、
該回転子は、下方に開口が形成される中空の中心部を有し、中心部の内部に磁石と芯軸が設けられると共に、外側の周縁に複数の放射状の羽根が設けられ、中心部と近く各羽根の縁部に凹溝が形成されることを特徴とする騒音防止効果を有する熱放散用ファン。
【請求項２】
前記凹溝が羽根の上縁に形成されることを特徴とする請求項１に記載の騒音防止効果を有する熱放散用ファン。
【請求項３】
前記凹溝に斜面が形成されることを特徴とする請求項１又は２に記載の騒音防止効果を有する熱放散用ファン。
【考案の詳細な説明】
【技術分野】
【０００１】
本考案は、特に回転子の作動時の騒音を大幅に低減する騒音防止効果を有する熱放散用ファンに関するものである。
【背景技術】
【０００２】
従来の電子、電機機械の内部における例えばＣＰＵやパワーサプライなどの電子部材は熱を有効的に放散するための熱放散用ファンを設けることにより、高熱で電子部材の損傷問題を防止している。 
図６及び図７に示すように、従来の熱放散用ファン（３０）は、上方に空気吸入口（３２１）を有する上蓋（３２）が設けられるフレーム（３１）を有し、該フレーム（３１）の内部に収容部（３３）が形成されると共に、一側に収容部（３３）と連通する空気排出口（３３１）が形成され、収容部（３３）にコイル、回路板及び固定プレートからなる固定子（３５）が設けられ、該固定子（３５）に周囲に複数の羽根（３４１）を有すると共に、内部に磁石を有する回転子（３４）が枢設されることにより、回転子（３４）が回転する際、空気を空気排出口（３３１）から排出しながら熱放散させることができる。
【考案の開示】
【考案が解決しようとする課題】
【０００３】
しかしながら、従来の熱放散用ファンは、前記回転子（３４）が回転する際、回転子（３４）の羽根（３４１）に空気を案内する構造を有しないので、回転子（３４）の回転が不安定により騒音を発生してしまうという問題を有する。 
そこで、案出されたのが本考案であって、回転子の作動時の騒音を大幅に低減する騒音防止効果を有する熱放散用ファンを提供することを目的としている。
【課題を解決するための手段】
【０００４】
本願の請求項１の考案は、内部に固定子と回転子が設けられるフレームを有する騒音防止効果を有する熱放散用ファンであって、
該回転子は、下方に開口が形成される中空の中心部を有し、中心部の内部に磁石と芯軸が設けられると共に、外側の周縁に複数の放射状の羽根が設けられ、中心部と近く各羽根の縁部に凹溝が形成されることを特徴とする騒音防止効果を有する熱放散用ファン及び、
本願の請求項２の考案は、前記凹溝が羽根の上縁に形成されることを特徴とする請求項１に記載の騒音防止効果を有する熱放散用ファン及び、
本願の請求項３の考案は、前記凹溝に斜面が形成されることを特徴とする請求項１又は２に記載の騒音防止効果を有する熱放散用ファン、を提供する。
【考案の効果】
【０００５】
本考案は上記の課題を解決するものであり、回転子の羽根に空気を導き案内する凹溝が形成されることにより、ファンにおける作動時の騒音を防止することができる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。 
図１は本考案に係る騒音防止効果を有する熱放散用ファンの回転子を示す斜視図であり、図２は本考案に係る騒音防止効果を有する熱放散用ファンの回転子を示す平面図であり、図３は本考案に係る騒音防止効果を有する熱放散用ファンの回転子における一つの羽根を示す断面図であり、図４は本考案に係る騒音防止効果を有する熱放散用ファンの分解斜視図であり、図５は本考案に係る騒音防止効果を有する熱放散用ファンの断面図である。 
図１乃至図４に示すように、本考案に係る騒音防止効果を有する熱放散用ファンは、内部に固定子（２３）と回転子（１０）が設けられるフレーム（２０）を有する熱放散用ファンであって、
該回転子（１０）は、下方に開口が形成される中空の中心部（１１）を有し、中心部（１１）の内部に磁石と芯軸（１１１）が設けられると共に、外側の周縁に複数の放射状の羽根（１２）が設けられ、中心部（１１）と近く各羽根（１２）の縁部に斜面（１３１）を有する凹溝（１３）が形成され、本実施例において、該凹溝（１３）が羽根（１２）の上縁に形成される。 
前記凹溝（１３）は中心部（１１）と近く位置に形成したので、羽根（１２）の動きに悪影響を与えなく、回転子（１０）を回転する際、優れた気流効果を発生することができる。 
図４及び図５に示すように、本考案に係る騒音防止効果を有する熱放散用ファンにおいて、前記フレーム（２０）に一側に空気排出口（２１１）を有する収容部（２１）が形成され、該収容部（２１）の中央に固定子（２３）が設けられ、回転子（１０）の中心部（１１）における芯軸（１１１）が固定子（２３）に枢設され、フレーム（２０）の上側に空気吸入口（２２１）を有する上蓋（２２）が設けられる。 
本考案に係る騒音防止効果を有する熱放散用ファンの回転子（１０）を回転する際、従来と等しいように、空気が空気吸入口（２２１）から収容部（２１）に吸入した後、羽根（１２）によって空気排出口（２１１）から排出することにより、電子部材（符号なし）の高熱を熱放散する。 
本考案の回転子（１０）の羽根（１２）に斜面（１３１）を有する凹溝（１３）が形成されて、空気の優れた引導効果を有するので、回転子（１０）を回転する際の騒音を降下することができる。
【産業上の利用可能性】
【０００７】
本考案は上記の構成を有するので、回転子の羽根に空気を導き案内する凹溝が形成されることにより、ファンにおける作動時の騒音を防止することができる。
【図面の簡単な説明】
【０００８】
【図１】本考案に係る騒音防止効果を有する熱放散用ファンの回転子を示す斜視図である。
【図２】本考案に係る騒音防止効果を有する熱放散用ファンの回転子を示す平面図である。
【図３】本考案に係る騒音防止効果を有する熱放散用ファンの回転子における一つの羽根を示す断面図である。
【図４】本考案に係る騒音防止効果を有する熱放散用ファンの分解斜視図である。
【図５】本考案に係る騒音防止効果を有する熱放散用ファンの断面図である。
【図６】従来の熱放散用ファンの分解斜視図である。
【図７】従来の熱放散用ファンの回転子を示す平面図である。
【符号の説明】
【０００９】
１０        回転子
１１        中心部
１１１      芯軸
１２        羽根
１２１      上縁
１３        凹部
１３１      斜面
２０        フレーム
２１        収容部
２１１      空気排出口
２２        上蓋
２２１      空気吸入口
２３        固定子
３０        熱放散用ファン
３１        フレーム
３２        上蓋
３２１      空気吸入口
３３        収容部
３３１      空気排出口
３４        回転子
３４１      羽根
３５        固定子
【図１】
0003109841.tif 000003
【図２】
0003109841.tif 000004
【図３】
0003109841.tif 000005
【図４】
0003109841.tif 000006
【図５】
0003109841.tif 000007
【図６】
0003109841.tif 000008
【図７】
0003109841.tif 000009